【手続補正書】
【提出日】平成16年4月27日(2004.4.27)
【手続補正１】
【補正対象書類名】特許請求の範囲
【補正対象項目名】全文
【補正方法】変更
【補正の内容】
【特許請求の範囲】
【請求項１】
椎間板代替デバイスであって、
第１プレート部材および第２プレート部材であるとともに、各プレート部材が、互いに離間している第１表面と第２表面とを有し、第１プレート部材の第１表面と第２プレート部材の第１表面とが、互いに対向しており、第１プレート部材の第２表面と第２プレート部材の第２表面とが、背骨内の隣接椎骨の各係合対象面に対する係合のために、互いに反対側を向いているような、第１プレート部材および第２プレート部材と；
内面を有した湾曲ソケットであるとともに、前記第１プレート部材の前記第１表面と前記第２プレート部材の前記第１表面とのうちの一方に対して少なくとも部分的に一体形成されていて固定された向きとされているような、湾曲ソケットと；
前記第１プレート部材の前記第１表面と前記第２プレート部材の前記第１表面とのうちの他方に形成されているとともに、前記湾曲ソケットの前記内面に対して移動自在な態様で係合する半球形突起と；
を具備し、
前記湾曲ソケット内への前記半球形突起の係合により、これら湾曲ソケットと半球形突起との間の関節結合が可能とされ、なおかつ、前記第１プレート部材および前記第２プレート部材が圧縮力や引っ張り力を受けたときにでも、前記湾曲ソケットの前記内面からの前記半球形突起の逸脱が防止されていることを特徴とする椎間板代替デバイス。
【請求項２】
請求項１記載の椎間板代替デバイスにおいて、
前記半球形突起が、ボール形状ヘッドの形態とされていることを特徴とする椎間板代替デバイス。
【請求項３】
請求項１記載の椎間板代替デバイスにおいて、
さらに、前記第１プレート部材および前記第２プレート部材の少なくとも一方の前記第２表面に設けられた端面係合部材を具備し、
この端面係合部材が、背骨内の隣接椎骨の係合対象面に対する係合を補助し得るよう機能することを特徴とする椎間板代替デバイス。
【請求項４】
請求項１記載の椎間板代替デバイスにおいて、
前記端面係合部材が、
隣接椎骨の係合対象面がなす凹状表面に接触し得るような凸形状を有しつつ前記第２表面から膨出した凸形状表面と；
解剖学的負荷の存在下において隣接椎骨の係合対象面に対して固定的に係合し得るよう機能する変形可能かつ再成形可能な部材と；
隣接椎骨の係合対象面に対して固定的に係合し得るよう、解剖学的負荷の存在下において隣接椎骨の係合対象面に対して適合的に変形し得るような変形可能かつ再成形可能な部材と；
隣接椎骨の係合対象面に対して係合し得るよう前記第２表面から膨出する向きに付勢された椎骨接触面を有した椎骨接触部材であるとともに、前記椎骨接触面の少なくとも一部が、前記付勢力に打ち勝った負荷によって前記第２表面に向けて移動可能とされているような、椎骨接触部材と；
メッシュと；
骨結合特性部材と；
の中の少なくとも１つを備えていることを特徴とする椎間板代替デバイス。
【請求項５】
請求項４記載の椎間板代替デバイスにおいて、
前記メッシュが、
（i） 前記第２表面から凸状に膨出するドーム形状をなす静止形状を有しているか；
（ii）前記第２表面に対してレーザー溶接されているか；
（iii） チタンを含有しているか；
の少なくともいずれかとされていることを特徴とする椎間板代替デバイス。
【請求項６】
請求項４記載の椎間板代替デバイスにおいて、
前記メッシュに隣接して骨結合特性部材が配置されているか；
骨結合特性部材が、前記第２表面上に多孔性表面を有しているか；
骨結合特性部材が、ワイヤメッシュとされたメッシュを有しているか；
の少なくともいずれかとされていることを特徴とする椎間板代替デバイス。
【請求項７】
請求項１記載の椎間板代替デバイスにおいて、
前記半球形突起が、前記第１プレート部材および前記第２プレート部材が引っ張り力を受けたときにこれら第１プレート部材と第２プレート部材との離間防止を補助し得るよう機能する結合部材を受領するための中央穴を有していることを特徴とする椎間板代替デバイス。
【請求項８】
請求項７記載の椎間板代替デバイスにおいて、
前記半球形突起が、この半球形突起に対して径方向内向き力が印加された時に、径方向内向きに撓むことを可能とし得るよう動作する少なくとも１つの径方向スロットを有し、
前記湾曲ソケットが、前記半球形突起が径方向内向きに撓んだときに前記半球形突起を挿通させ得るような、前記内面に連通する開口を有し、
前記結合部材を前記中央穴内に係合させた状態では、前記半球形突起の径方向内向きへの前記撓みと、前記開口からの前記半球形突起の抜け出しと、が防止されていることを特徴とする椎間板代替デバイス。
【請求項９】
請求項８記載の椎間板代替デバイスにおいて、
前記結合部材が、前記中央穴内へと係合し得るよう、前記第１プレート部材と前記第２プレート部材とのうちの一方に形成された穴を通して挿入されることを特徴とする椎間板代替デバイス。
【請求項１０】
請求項１記載の椎間板代替デバイスにおいて、
前記半球形突起が、引っ張り力を受けたときにでも前記第１プレート部材と前記第２プレート部材とを分離させ得ないようにして、前記湾曲ソケット内に捕捉されていることを特徴とする椎間板代替デバイス。
【請求項１１】
椎間スペーサデバイスであって、
第１プレートおよび第２プレートであるとともに、これらプレートが、第１プレートの表面と第２プレートの表面とが対向するようにして配置され、それら対向面が、それぞれの内面とされ、各プレートの反対側に位置している表面が、外面とされるような、第１プレートおよび第２プレートと；
前記第１および第２プレートの前記内面どうしの間に配置される少なくとも１つの復元力供給部材であるとともに、前記第１プレートおよび前記第２プレートの前記外面に対して印加された圧縮性負荷を緩衝し得るようにして配置された少なくとも１つの復元力供給部材と；
を具備し、
前記少なくとも１つの復元力供給部材が、少なくとも１つのスパイダスプリングを備え、
このスパイダスプリングが、中央ハブと、少なくとも１つの螺旋スロットと、互いに離間した複数の径方向延在グルーブと、を有し、
各グルーブが、前記スパイダスプリングの周縁エッジ上の地点から、前記周縁エッジから径方向内側の地点までにわたって、延在していることを特徴とするデバイス。
【請求項１２】
請求項１１記載のデバイスにおいて、
前記スパイダスプリングが、内側端と外側端とを有し、
前記スパイダスプリングが、前記外側端が前記第１および第２プレートのうちの一方の前記内面に対して当接しているような、向きで配置されていることを特徴とするデバイス。
【請求項１３】
請求項１１記載のデバイスにおいて、
前記各径方向延在グルーブが、直線状グルーブとされ、
この直線状グルーブの長さが、前記周縁エッジ上の前記地点から、前記周縁エッジから径方向内側の前記地点までにわたるような、長さとされ、
前記直線状グルーブの深さが、前記長さに沿ってテーパー状とされ、
前記直線状グルーブの幅が、前記長さに沿ってテーパー状とされていることを特徴とするデバイス。
【請求項１４】
請求項１３記載のデバイスにおいて、
前記深さが、前記長さに沿って減少しており、
前記幅が、前記長さに沿って減少していることを特徴とするデバイス。
【請求項１５】
請求項１１記載のデバイスにおいて、
前記少なくとも１つの螺旋スロットが、互いに離間した複数の螺旋スロットを有し、
これら各スロットが、前記スパイダスプリングの前記周縁エッジ上の地点から、前記周縁エッジから径方向内側の地点までにわたって、延在していることを特徴とするデバイス。